(57)【要約】【課題】ナットの緩み止め方法はボルトナットのネジ部を加工しナットを固定する方法、ナット部の溶接、三舌座金等が主に実施されている。しかしナットと部材の間に隙間が生じた場合の間隙を常に０に保持するナットの緩み止め方法は無いのが現状である。【解決手段】ナットに常時ある締め付け力を与え、ナットと締め付け部材の間に隙間が発生する前にナットを自動的に締め付け間隙の発生を防止する。ナットを自動的に締め付ける方法としてバネ圧縮後、バネの解放力を常時ナットの締め付け力に利用し間隙を０に保持可能とする緩み止め方法。【選択図】      図１
2004340348.tif 000002
【特許請求の範囲】
【請求項１】
ネジ規格に関係なくナットに常時締め付け力を与える為にボルトを支点としバネを利用しバネ解放力をナットの締め付け力として加える、ここでバネの種類は特定しないナットの緩み止め装置。
【請求項２】
前記の緩み止め装置はボルト頭部にバネ固定用の縦溝または横割溝を設けてバネの一方の支点を固定する、バネの他の端はナット締め付け用外胴に接続され、ナットの締め付け方向とは逆方向に外胴を回すことでバネに圧縮力を加える、バネに充分な圧縮力を加えた後バネの解放力をナットの締め付け力として常時加える為に接合リングと外胴をカムによって解放力をナットに伝達する事を特徴とする請求項１のナットの緩み止め装置。
【請求項３】
前記の緩み止め装置のナット接合リングの外側円周上にカム溝複数設置しカムと勘合させバネ圧縮時は自由に回転しバネ解放力をナットに伝達するときはカムとカム溝が勘合し一体化する事によりナットにバネ解放力を伝達する、外胴に取り付けられたカムは１個でも良いが複数個設置する事でバネ解放力伝達を確実とする特徴を持つ請求項１，２のナット緩み止め装置。
【請求項４】
前記の緩み止め装置のナット接合リングはネジサイズ、規格でナット寸法が変わるためサイズ調整リングの取付を可能な構造とし、ナットとの勘合部は多角形としナットとの勘合を容易にし、一つの装置の使用範囲を広くする特徴を持つ請求項１，２，３のナット緩み止め装置。
【請求項５】
前期の緩み止め装置をナットから取り外す場合はバネと外胴の接続部を専用工具を用いて分離しバネ解放力を断つ事で容易に取り外す事ができる、またナットの緩みが予想以上大きい場合はバネ解放力が無くなり装置がナットから外れ脱落防止のため、ボルトの先端に割りピン等を設置する事で装置の脱落防止を可能とする特徴を持つ請求項１〜４のナット緩み止め装置。
【発明の詳細な説明】
【０００１】
【発明の属する技術分野】
本発明は、締結ボルトナットに於いて使用中に振動、ボルトの伸縮、締め付け材のやせ等でナットの緩みが発生した場合バネ解放力を利用しナットに締め付け方向に常時締め付け力を作用させてナットを締め付けさせ、締め付け材とナットの間隙発生を防止する緩み止め装置に関する。なお、バネはうず巻式バネを採用することで装置の小型化、締め付け角度範囲が大きくとる事が可能となる。
【０００２】
【従来の技術】
従来ナットの緩み防止方法は、ボルトとナットのネジ部に各種工夫を加えたり、ナットを溶接したり、三舌座金等でナット緩み防止対策主である。これらの対策ではボルトの伸び、締め付け材のやせ等が発生した場合締め付け材とナットの間に間隙が生じナットの締め付け力が無くなりその結果製品の性能劣化、事故、振動等の問題が発生する可能性が発生する。
【０００３】
ネジ部を加工するとナットの再使用が難しく、また他のボルトとの共用性が無くなるりその都度新ボルトナットを使用する事になる。これでは経済的にも無駄となる。
【発明が解決しようとする課題】
【０００４】
本発明は、上記の様な従来技術の欠点を解消し、ボルト、ナットのネジ部を加工することなくネジ規格に関係なく取付けできる緩み止め装置で容易に取り付ける事が可能となるナット緩み止め装置を提供する事を課題とする。
【０００５】
緩み止め装置を取り付ける為に事前にボルト先端部にスプリング支点用の横溝、または縦溝加工を施して置くことで装置の取付を容易に可能とする。
【課題を解決する為の手段】
【０００６】
本発明はバネ１と外胴２を結合させ接合リング３を介してナット４と結合しバネ解放力をナットに伝達する事で解決される。
【０００７】
外胴２より接合リング３への力の伝達方法はカム５を介して伝達される。接合リング３の外周にはカム溝６を複数個設置しナットの締め付け方向と逆方法は自由に回転しナット締め付け方向は固定とする事で締め付け力が保持できる。
【発明の実施の形態】
以下、本発明にかかるナットの緩み止め装置の作動形態を添付する図を参照しながら詳述する。図１は本発明にかかるナットの緩み止め装置のバネ１と外胴２接合リング３とナット４の構成を示す図である。本装置はバネ１の内側支点７をボルト余長部先端８に接合しバネの外側支点９を外胴に接合しナット締め付け方向と逆方向に廻す事でバネ１に圧縮力を加える。
【０００８】
外胴２を廻しバネ１に圧縮力を与える時カム５と接続リング３に設けられたカム溝６は自由に回転する。充分にバネ１に圧縮力を与え回転を止める、次にバネ１が圧縮力を解放する力に変わる。この力の方向は外胴２に伝わる。この時外胴２の内側に設置されたカム５に伝わり接続リング３のカム溝６に伝わる。カム５とカム溝６ではロック状態となる。カム５より接続リングに伝えられた力はナット４の締め付け方向に働く。
【０００９】
接続リング３はナット４に勘合しているためバネ１の解放力がナット４の締め付け力となる。バネ１の解放力でボルト８に接続されているバネ１の内側支点７の解放力はナット４の締め付け方向と逆の作用力となる、即ちナットを固定と考えればボルトによる締め付け力となる。前述の外胴よりナットに伝わる解放力はナット４を直接締め付ける力となり、バネ１の解放力は全て締め付け力として活用できる。
【００１０】
接続リング３はナット４と直接勘合しているが、ネジサイズ、ネジ規格によってナット４の寸法が変わる為接続リング３の共用性を持たせるために、調整リング１０を設置しナット寸法の多様性に対応する。
【００１１】
ナット４の締め付け力はネジサイズ毎に締め付け力が変わるためバネ１の取付部７を標準化しネジサイズに対応した圧縮力を持つバネに交換可能とする。
【００１２】
本装置を設置後取り外す場合は外胴２の外周に設置された図２孔１１に専用工具を挿入しバネ１と外胴２の接続部９の接続を解除する事で外胴２に作用している解放力を分離する事で取り外しを行う。
【実施例】
【発明の効果】
本発明にかかるナット緩み止め装置で常時ナットにバネ解放力を加える事でナットの緩みを防止する事が可能となる。またネジ規格に関係なく本装置は使用可能で有り共用性が有る。
【００１３】
本装置はダブルナットでも対応可能であり、応用範囲は広い。
【図面の簡単な説明】
【図１】本発明に関するナット緩み止め装置の構成例を示す構成図である。
【図２】バネ、カム、カム溝の位置関係を示す構成図である。
【図３】カムとカム溝の勘合関係を示す構成図である。
【図４】ボルト、ナット、外胴、調整リングの関係を示す構成図である。
【符号の説明】
１  うず巻バネ
２  外胴
３  接続リング
４  ナット
５  カム
６  カム溝
７  バネ内側支点
８  ボルト
９  バネ外側支点
１０  調整リング
１１  専用工具用孔
１２  バネ室カバー
【図１】
2004340348.tif 000003
【図２】
2004340348.tif 000004
【図３】
2004340348.tif 000005
【図４】
2004340348.tif 000006